(57)【要約】【課題】エレベータの不稼動時間を最小限の短時間に抑えることができるエレベータの制御装置の交換方法の提供。【解決手段】配線接続箱２を設置する第１所定作業と、この第１所定作業の後に実施され、既設かご上制御装置４に至るかご廻り配線５の中間で切断して、その切断端部を配線接続箱２の端子に、切断前と同等の配線接続を形成するように接続すると共に、配線接続箱２から既設かご上制御装置４に至る既設配線６と並列に端子付き信号配線３を、配線接続箱２の端子に接続する作業を複数回に分けて実施する第２所定作業と、第１所定作業の前後、または第２所定作業の後に実施され、新設かご上制御装置１を設置する第３所定作業と、端子付き信号配線３を新設かご上制御装置１に接続すると共に、配線接続箱２と既設かご上制御装置４とを接続している既設配線６を撤去する第４所定作業とを含む。【選択図】図２
2005179027.tif 000002
【特許請求の範囲】
【請求項１】
既設制御装置を新設制御装置に取り替えるエレベータの制御装置の交換方法において、
配線接続箱を設置する第１所定作業と、
この第１所定作業の後に実施され、前記既設制御装置に至る信号配線の中間で切断して、その切断端部を前記配線接続箱の端子に、切断前と同等の配線接続を形成するように接続すると共に、前記配線接続箱から前記既設制御装置に至る信号配線と並列に端子付き信号配線を、前記配線接続箱の端子に接続する作業を複数回に分けて実施する第２所定作業と、
前記第１所定作業の前後、または前記第２所定作業の後に実施され、前記新設制御装置を設置する第３所定作業と、
前記端子付き信号配線を前記新設制御装置に接続すると共に、前記配線接続箱と前記既設制御装置とを接続している信号配線を撤去する第４所定作業とを含むことを特徴とするエレベータの制御装置の交換方法。
【請求項２】
既設かご上制御装置を新設かご上制御装置に取り替えるエレベータの制御装置の交換方法において、
配線接続箱をかご上に設置する第１所定作業と、
この第１所定作業の後に実施され、前記既設かご上制御装置に至る信号配線の中間で切断して、その切断端部を前記配線接続箱の端子に、切断前と同等の配線接続を形成するように接続すると共に、前記配線接続箱から前記既設かご上制御装置に至る信号配線と並列に端子付き信号配線を、前記配線接続箱の端子に接続する作業を複数回に分けて実施する第２所定作業と、
前記第１所定作業の前後、または前記第２所定作業の後に実施され、前記新設かご上制御装置を前記かご上に設置する第３所定作業と、
前記端子付き信号配線を前記新設かご上制御装置に接続すると共に、前記配線接続箱と前記既設かご上制御装置とを接続している信号配線を撤去する第４所定作業とを含むことを特徴とするエレベータの制御装置の交換方法。
【発明の詳細な説明】
【技術分野】
【０００１】
本発明は、既設かご上制御装置等の既設制御装置を、新設かご上制御装置等の新設制御装置に取り替えるエレベータの制御装置の交換方法に関する。
【背景技術】
【０００２】
最近のエレベータの性能は電子技術の採用に伴って、制御の向上による省電力化、乗り心地、及び安全性の向上が著しく、快適な輸送設備として重要視されている。  一方、しばらく前に建てられた建物は現代感覚に合わせて改装工事が施され、イメージアップが図られているが、このような建物に設置されているエレベータは、旧態のままの性能と意匠で使用されるのが一般的であり、利用者からもエレベータの性能の根本的なレベルアップが望まれている。
【０００３】
このような要望に対処するために、従来、エレベータに備えられる既設制御装置を新設制御装置に取り替える方法として、少なくとも改造のための養生及び搬入を行う事前作業と、少なくとも新設テールコードの敷設、新設かご廻り配線の敷設、新設かご上制御装置の設置及び新設リミットスイッチ用配線の敷設を、既設機器に併設して行う第１期作業と、既設制御用配線の切り離し作業、及び新設配線の結線を行う第２期作業と、前記既設機器の撤去を行う事後作業から成ると共に、前記事前作業の開始から前記第２期作業の開始に至るまでの期間は前記既設制御装置によって運転を行い、かつ前記第２期作業の終了から前記新設制御装置によって運転を行うようにしたものが提案されている（例えば、特許文献１参照。）。
【特許文献１】特開２０００−３２７２４３公報（段落番号０００９、図１）
【発明の開示】
【発明が解決しようとする課題】
【０００４】
上述した従来技術は、比較的短時間でエレベータの制御装置を交換することができるが、一つ一つの作業が比較的長い時間を必要とするため、１回あたりのエレベータの停止時間が長くなるのを避けられなかった。このようにエレベータを比較的長い時間、連続停止させることは、エレベータがビルの縦の交通機関として主要な役割を果たしている現状を考えると、ビルの利用者あるいは住居人に多大な迷惑を及ぼすことになる。特に、比較的小さな事務所ビルや集合住宅でエレベータが１台のみしか設置されていない場合にあっては、利用者に対して大きな迷惑をかけやすかった。
【０００５】
本発明は、上述した従来技術における実状からなされたもので、その目的は、エレベータの不稼動時間を最小限の短時間に抑えることができるエレベータの制御装置の交換方法を提供することにある。
【課題を解決するための手段】
【０００６】
上記目的を達成するために、本発明は、既設制御装置を新設制御装置に取り替えるエレベータの制御装置の交換方法において、配線接続箱を設置する第１所定作業と、この第１所定作業の後に実施され、前記既設制御装置に至る信号配線の中間で切断して、その切断端部を前記配線接続箱の端子に、切断前と同等の配線接続を形成するように接続すると共に、前記配線接続箱から前記既設制御装置に至る信号配線と並列に端子付き信号配線を、前記配線接続箱の端子に接続する作業を複数回に分けて実施する第２所定作業と、前記第１所定作業の前後、または前記第２所定作業の後に実施され、前記新設制御装置を設置する第３所定作業と、前記端子付き信号配線を前記新設制御装置に接続すると共に、前記配線接続箱と前記既設制御装置とを接続している信号配線を撤去する第４所定作業とを含むことを特徴としている。
【０００７】
また、本発明は、既設かご上制御装置を新設かご上制御装置に取り替えるエレベータの制御装置の交換方法において、配線接続箱をかご上に設置する第１所定作業と、この第１所定作業の後に実施され、前記既設かご上制御装置に至る信号配線の中間で切断して、その切断端部を前記配線接続箱の端子に、切断前と同等の配線接続を形成するように接続すると共に、前記配線接続箱から前記既設かご上制御装置に至る信号配線と並列に端子付き信号配線を、前記配線接続箱の端子に接続する作業を複数回に分けて実施する第２所定作業と、前記第１所定作業の前後、または前記第２所定作業の後に実施され、前記新設かご上制御装置を前記かご上に設置する第３所定作業と、前記端子付き信号配線を前記新設かご上制御装置に接続すると共に、前記配線接続箱と前記既設かご上制御装置とを接続している信号配線を撤去する第４所定作業とを含むことを特徴としている。
【０００８】
以上のように構成した本発明は、第２所定作業を複数回の作業によって構成するので、１回あたりの不稼動時間を短時間にすることができると共に、配線接続箱を新設制御装置あるいは新設かご上制御装置に接続する端子付き信号配線を、予め配線接続箱に接続するようにしてあるので、設置された新設制御装置あるいは新設かご上制御装置と配線接続箱との接続を短時間に済ませることができ、エレベータの不稼動時間を最小限の短時間に抑えることができる。
【発明の効果】
【０００９】
本発明は、エレベータの不稼動時間を最小限の短時間に抑えることができ、従来に比べてエレベータの利用者に対するサービス性を向上させることができる。
【発明を実施するための最良の形態】
【００１０】
以下，本発明に係るエレベータの制御装置の交換方法を実施するための最良の形態を図に基づいて説明する。
【００１１】
図１は本発明に係るエレベータの制御装置の交換方法の一実施形態に含まれる第２所定作業を説明するエレベータかご上の要部正面図、図２は本実施形態に含まれる第３所定作業及び第４所定作業を説明するエレベータかご上の要部正面図、図３は本実施形態で使用される配線接続箱の正面図、図４は本実施形態が実施される前の状態を示すエレベータかご上の要部正面図である。
【００１２】
これらの図において、１は新設制御装置、例えば新設かご上制御装置、２は配線接続箱、３は配線接続箱２に予め接続される端子付き信号配線、４は既設制御装置、例えば既設かご上制御装置、５はかご廻り既設線、６は既設かご上制御装置４に接続される既設配線、７は配線接続箱２に備えられる端子台、８は既設かご上制御装置４が取付けられる取付け台、９は新設かご上制御装置１が取付けられる取付け台、１０はエレベータの乗かごである。
【００１３】
かご上制御装置の取り替え前の状態は、図４に示すように、エレベータの乗かご１０の上には、取付け台８が設置され、この取付け台８の上に既設かご上制御装置４が載置され、この既設かご上制御装置４にかご廻り既設線５が接続されている。
【００１４】
このような状態から、既設かご上制御装置４を新設かご上制御装置１に取り替える場合、本実施形態の交換方法は、まず例えば、第１期工事として、乗かご１０の上に配線接続箱２を仮設置する第１所定作業を実施する。
【００１５】
次に図１に示すように、第２期作業として第２所定作業を実施する。すなわち、かご廻り既設線５と既設かご上制御装置４との信号配線の中間を切断し、かご廻り既設線５と既設かご上制御装置４用の既設配線６とに分け、図３に示すように、配線接続箱２の内部に備えられる端子台７にそれぞれ接続し、これによってかご廻り既設線５と既設配線６とを導通させ、かご廻り既設線５と既設かご上制御装置４とを配線接続箱２の端子台７を介して再接続する。すなわち、切断する前の電気的接続関係となるように、各端子台７に結線する。また、端子台７から既設かご上制御装置４に至る既設線６と並列的に端子台７に、端子付き信号配線３を結線する。この端子付き信号配線３には何も接続しない状態としておく。
【００１６】
このような作業を１回につき一本または複数本のかご廻り既設線５に対して行い、これを複数回繰り返す。これにより、一回当りの不稼動時間は短時間で済む。この第２所定作業の間、エレベータの構成機器の点検や調整などの保全作業を並行して行うこともできる。
【００１７】
次に、第３期作業として、図２に示すように、乗かご１０の空いているスペースに取付け台９を取付け、この取付け台９の上に新設かご上制御装置１を載置する第３所定作業を実施する。なお、この第３所定作業は、前述した第１所定作業の前、あるいは第１所定作業後の第２所定作業の前に実施するようにしてもよい。
【００１８】
そして、第４期作業として第４所定作業を実施する。すなわち、配線接続箱２と既設かご上制御装置４とを接続している既設配線６を配線接続箱２の端子台７から取外し、配線接続箱２に予め接続させてある端子付き信号配線３を、新設かご上制御装置１にコネクタ接続する。その後に、既設かご上制御装置４を乗かご１０から取外し、既設かご上制御装置４が取付けられていた場所に配線接続箱２を取付ける。これによってかご上制御装置の交換作業は終了する。
【００１９】
本実施形態の交換方法によれば、第２期工事で行う第２所定作業を複数回の作業によって構成するので、１回あたりの不稼動時間を短時間にすることができると共に、配線接続箱２を新設かご上制御装置１に接続する信号配線を、すなわち端子付き信号配線３を、予め配線接続箱２に接続するようにしてあるので、設置された新設かご上制御装置１と配線接続箱２との接続を短時間に済ませることができ、エレベータの不稼動時間を最小限の短時間に抑えることができる。これにより、エレベータの利用者に対するサービス性を向上させることができる。
【００２０】
なお、上記実施形態では、かご上制御装置の交換を例示したが、本発明は、このようなかご上制御装置の交換には限定されず、エレベータに係る各種の制御装置の交換に適用することができる。
【図面の簡単な説明】
【００２１】
【図１】本発明に係るエレベータの制御装置の交換方法の一実施形態に含まれる第２所定作業を説明するエレベータかご上の要部正面図である。
【図２】本実施形態に含まれる第３所定作業及び第４所定作業を説明するエレベータかご上の要部正面図である。
【図３】本実施形態で使用される配線接続箱の正面図である。
【図４】本実施形態が実施される前の状態を示すエレベータかご上の要部正面図である。
【符号の説明】
【００２２】
１    新設かご上制御装置
２    配線接続箱
３    端子付き信号配線
４    既設かご上制御装置
５    かご廻り既設線
６    既設配線
７    端子台
８    取付け台
９    取付け台
１０  乗かご
【図１】
2005179027.tif 000003
【図２】
2005179027.tif 000004
【図３】
2005179027.tif 000005
【図４】
2005179027.tif 000006